(57)【要約】【課題】消防用投光器の操作性を向上させる。【解決手段】消防用投光器（１００）は、光源部（１０）と、光源部を収容する器具本体（２０）と、器具本体の上部に配置されユーザの手によって把持されるハンドル（３０）と、信号器（２００）に接続ケーブル（１）を介して信号を送信する操作を受け付ける第１スイッチ（４０）と、光源部の配光を切り換える操作を受け付ける第２スイッチ（５０）とを備える。第１スイッチおよび第２スイッチは、ハンドルを把持した手の指が届く範囲内に配置されている。【選択図】図１
2019207844.tif 000002
【特許請求の範囲】
【請求項１】
信号器に接続ケーブルを介して接続される消防用投光器であって、
光源部と、
前記光源部を収容する器具本体と、
前記器具本体の上部に配置されユーザの手によって把持されるハンドルと、
前記信号器に前記接続ケーブルを介して信号を送信する操作を受け付ける第１スイッチと、
前記光源部の配光を切り換える操作を受け付ける第２スイッチと、
を備え、
前記第１スイッチおよび前記第２スイッチは、前記ハンドルを把持した手の指が届く範囲内に配置されている、消防用投光器。
【請求項２】
前記器具本体の長手方向において、前記第１スイッチおよび前記第２スイッチは、前記ハンドルの前方に位置している請求項１に記載の消防用投光器。
【請求項３】
前記第１スイッチおよび前記第２スイッチは、実質的に前記ハンドルの軸線上に位置している請求項１または２に記載の消防用投光器。
【請求項４】
前記信号器への信号の送信に応じて点灯する信号表示灯をさらに備え、
前記信号表示灯は、前記第１スイッチおよび前記第２スイッチの周辺に配置されている請求項１から３のいずれかに記載の消防用投光器。
【請求項５】
前記器具本体の長手方向において、前記信号表示灯は、前記ハンドルの前方に位置している請求項４に記載の消防用投光器。
【請求項６】
前記器具本体の長手方向において、前記信号表示灯が前記第１スイッチおよび前記第２スイッチよりも前方に位置する請求項４または５に記載の消防用投光器。
【請求項７】
少なくとも２つの防水区画を有する請求項１から６のいずれかに記載の消防用投光器。
【請求項８】
前記少なくとも２つの防水区画のうちの１つの防水区画に、前記第１スイッチおよび前記第２スイッチの両方が配置されている請求項７に記載の消防用投光器。
【請求項９】
外部電源から電力を供給される請求項１から８のいずれかに記載の消防用投光器。
【発明の詳細な説明】
【技術分野】
【０００１】
本発明は、投光器に関し、特に、消防用の投光器に関する。
【背景技術】
【０００２】
特許文献１には、消防活動や災害救助に用いられる消防用投光器が開示されている。特許文献１の投光器は、接続ケーブルを介して信号器（特許文献１では「電源装置」と呼ばれている）に接続される。信号器および投光器には、それぞれ信号スイッチが設けられている。信号スイッチを操作することにより、信号器から投光器に、または、投光器から信号器に、接続ケーブルを介して信号を送信することができる。さらに、信号器および投光器のそれぞれには、信号の送信に同期して点灯する表示灯が設けられている。このような構成により、信号器側と投光器側とで相互に異常を知らせ合うことができる。
【０００３】
また、特許文献１の投光器には、配光切換スイッチが設けられている。配光切換スイッチを操作することにより、光源であるランプの配光を切り換えることができる。必要に応じてランプの配光を切り換えることにより、作業性が向上する。
【先行技術文献】
【特許文献】
【０００４】
【特許文献１】特開平１０−２６１３０５号公報
【発明の概要】
【発明が解決しようとする課題】
【０００５】
しかしながら、特許文献１の投光器では、配光切換スイッチが投光器本体の側面に配置されているので、投光器本体の上部に配置されたハンドルを把持した手で配光を切り換える操作を行うことができない。つまり、ハンドルを把持している方の手での片手操作を行うことができない。そのため、配光を切り換えるためには、ハンドルを把持していない方の手で操作を行う（当然ながらその手が空いていなければならない）か、投光器を地面に置く必要がある。
【０００６】
本発明は、上記問題に鑑みてなされたものであり、その目的は、消防用投光器の操作性を向上させることにある。
【課題を解決するための手段】
【０００７】
本発明の実施形態による消防用投光器は、信号器に接続ケーブルを介して接続される消防用投光器であって、光源部と、前記光源部を収容する器具本体と、前記器具本体の上部に配置されユーザの手によって把持されるハンドルと、前記信号器に前記接続ケーブルを介して信号を送信する操作を受け付ける第１スイッチと、前記光源部の配光を切り換える操作を受け付ける第２スイッチと、を備え、前記第１スイッチおよび前記第２スイッチは、前記ハンドルを把持した手の指が届く範囲内に配置されている。
【０００８】
ある実施形態では、前記器具本体の長手方向において、前記第１スイッチおよび前記第２スイッチは、前記ハンドルの前方に位置している。
【０００９】
ある実施形態では、前記第１スイッチおよび前記第２スイッチは、実質的に前記ハンドルの軸線上に位置している。
【００１０】
ある実施形態では、前記消防用投光器は、前記信号器への信号の送信に応じて点灯する信号表示灯をさらに備え、前記信号表示灯は、前記第１スイッチおよび前記第２スイッチの周辺に配置されている。
【００１１】
ある実施形態では、前記器具本体の長手方向において、前記信号表示灯は、前記ハンドルの前方に位置している。
【００１２】
ある実施形態では、前記器具本体の長手方向において、前記信号表示灯が前記第１スイッチおよび前記第２スイッチよりも前方に位置する。
【００１３】
ある実施形態では、前記消防用投光器は、少なくとも２つの防水区画を有する。
【００１４】
ある実施形態では、前記少なくとも２つの防水区画のうちの１つの防水区画に、第１スイッチおよび第２スイッチの両方が配置されている。
【００１５】
ある実施形態では、前記消防用投光器は、外部電源から電力を供給される。
【００１６】
本発明の実施形態による消防用投光器では、第１スイッチおよび第２スイッチが、ハンドルを把持した手の指が届く範囲内に配置されている。そのため、信号の送信および配光の切り替えのそれぞれを、ハンドルを把持した方の手での片手操作により行うことができる。それ故、ハンドルを把持していない方の手を空けたり、消防用投光器を地面に置いたりする必要がない。このように、本発明の実施形態によれば、消防用投光器の操作性を向上させることができる。
【００１７】
ハンドルを把持する際の手の姿勢を考慮すると、第１スイッチおよび第２スイッチの操作は、親指で行うことが好ましい。器具本体の長手方向において、第１スイッチおよび第２スイッチがハンドルの前方に位置していると、親指での操作を容易に行うことができる。
【００１８】
親指での操作の容易さの観点からは、第１スイッチおよび第２スイッチは、ハンドルの軸線から大きく離れていないことが好ましく、言い換えると、実質的にハンドルの軸線上に位置していることが好ましい。
【００１９】
本発明の実施形態による消防用投光器は、信号器への信号の送信に応じて点灯する信号表示灯をさらに備えてもよい。信号表示灯が、第１スイッチおよび第２スイッチの周辺に配置されていると、信号表示灯の視認が容易となる。
【００２０】
視認の容易さの観点からは、器具本体の長手方向において、信号表示灯は、ハンドルの前方に位置していることが好ましい。信号表示灯がハンドルの前方に位置していると、ハンドルを把持している手によって信号表示灯が隠れることがない。
【００２１】
視認の容易さの観点からは、器具本体の長手方向において、信号表示灯が第１スイッチおよび第２スイッチよりも前方に位置することが好ましい。
【００２２】
第１スイッチおよび第２スイッチと、光源部に供給される電流を制御する制御基板とは、離れた位置に配置され得るので、消防用投光器は、少なくとも２つの防水区画を有することが好ましい。
【００２３】
１つの防水区画に、第１スイッチおよび第２スイッチの両方が配置されていると、消防用投光器全体での防水区画の数を比較的少なくすることができる。
【００２４】
本発明の実施形態は、外部電源から電力を供給される消防用投光器に好適に用いられる。外部電源から電力の供給を行うことにより、消防用投光器を長時間（消防活動に必要な所望の時間）使用することができる。
【発明の効果】
【００２５】
本発明の実施形態によると、消防用投光器の操作性を向上させることができる。
【図面の簡単な説明】
【００２６】
【図１】本発明の実施形態による消防用投光器１００を模式的に示す斜視図である。
【図２】投光器１００を模式的に示す正面図である。
【図３】投光器１００を模式的に示す側面図である。
【図４】投光器１００を模式的に示す上面図である。
【図５】投光器１００を模式的に示す断面図であり、上下方向および前後方向に平行な断面を示している。
【図６】投光器１００が備える光源部１０を模式的に示す斜視図である。
【図７】光源部１０を模式的に示す正面図である。
【図８】光源部１０を模式的に示す側面図である。
【図９】光源部１０を模式的に示す上面図である。
【図１０】投光器１００に接続ケーブル１を介して接続される信号器２００を模式的に示す側面図である。
【図１１】投光器１００が有する防水区画の例を示す図である。
【発明を実施するための形態】
【００２７】
以下、図面を参照しながら本発明の実施形態を説明する。なお、本発明は以下の実施形態に限定されるものではない。
【００２８】
図１から図５を参照しながら、本実施形態における消防用投光器（以下では単に「投光器」と呼ぶ）１００を説明する。図１、図２、図３および図４は、それぞれ投光器１００を模式的に示す斜視図、正面図、側面図および上面図である。図５は、投光器１００を模式的に示す断面図であり、上下方向および前後方向に平行な断面を示している。
【００２９】
図１から図５に示すように、投光器１００は、光源部１０、器具本体２０およびハンドル３０を備える。また、投光器１００は、第１スイッチ４０、第２スイッチ５０および信号表示灯６０をさらに備える。投光器１００は、後述する信号器に接続ケーブル１を介して接続される。投光器１００は、片手で携行可能である。
【００３０】
光源部（光源ユニット）１０は、図５に示すように、光源として複数のＬＥＤ（発光ダイオード）素子１１を含む。光源部１０は、光を集光照射する状態と、拡散照射する状態とを切り換えることができる。つまり、光源部１０は、その配光を切り換え得る構成を有する。光源部１０のより具体的な構成については後述する。
【００３１】
器具本体（筐体）２０は、光源部１０を収容する。器具本体２０は、軽量で耐熱性に優れた材料から形成されていることが好ましい。器具本体２０の材料として、例えば炭素繊維強化プラスチック（ＣＦＲＰ）やガラス繊維強化プラスチック（ＧＦＲＰ）、金属材料（例えばアルミニウム合金）などを好適に用いることができる。光源部１０は、器具本体２０の前部に配置されており、光源部１０の前部（後述する第１レンズ部および第２レンズ部）は、器具本体２０から露出している。また、器具本体２０の前部には、光源部１０の前部を保護するための保護部材（レンズガード）２５が取り付けられている。保護部材２５は、金属材料（例えばチタン合金やステンレス合金など）から形成されている。
【００３２】
器具本体２０の両側部に、光源部１０の熱を放出するための放熱孔２１が形成されている。器具本体２０の後部に、接続ケーブル１が接続されている。器具本体２０の下部には、三脚取付ボス２６および支持部材２７が取り付けられている。既に説明したように、投光器１００は、携行しながら用いることが可能であるが、三脚取付ボス２６に三脚を取り付けることにより、地面から所望の高さに据え置いて使用することができる。支持部材２７は、投光器１００を地面に置いたときに、光源部１０の光軸が略水平となるように（つまり光が略水平に出射するように）設けられている。また、器具本体２０の上部前側には、箱状の部分（以下では「ボックス部」と呼ぶ）２０ａが形成されている。ボックス部２０ａから後方かつ下方に延びる凸部２０ｂが形成されている。器具本体２０の上部後側には、ブザー２８が配置されている。また、ここでは図示していないが、器具本体２０の内部において光源部１０の後方には、光源部１０に供給される電流を制御するための制御基板が配置されている。
【００３３】
ハンドル３０は、器具本体２０の上部に配置されている。ハンドル３０は、ユーザの手によって把持される。図示している例では、ハンドル３０は、ハンドル部材（ハンドルバー）３１と、器具本体２０のボックス部２０ａから延びる凸部２０ｂによって構成される。ハンドル部材３１は、円筒状の部材であり、金属材料（例えばアルミニウム合金）や樹脂材料（例えばポリアセタール）から形成されている。ハンドル部材３１の前端に、器具本体２０の凸部２０ｂが差し込まれている。ハンドル部材３１の後端は、ブラケット２９を介して器具本体２０の後部に固定されている。ブラケット２９は、例えばＣＦＲＰや、チタン合金、ステンレス合金などの金属材料から形成されている。
【００３４】
第１スイッチ４０は、信号器に接続ケーブル１を介して信号を送信する操作を受け付ける。これに対し、第２スイッチ５０は、光源部１０の配光を切り換える操作を受け付ける。以下では、第１スイッチ４０を「信号スイッチ」と呼び、第２スイッチ５０を「配光切換スイッチ」と呼ぶこともある。
【００３５】
図示している例では、第１スイッチ４０および第２スイッチ５０のそれぞれは、いわゆる押しボタンスイッチである。押しボタンスイッチである第１スイッチ４０は、図５に示すように、指等によって押圧される押しボタン部４０ａと、押しボタン部４０ａが押圧されるごとにオン状態とオフ状態とが切り替わるスイッチ機構部４０ｂとを含む。第２スイッチ５０も、同様に、押しボタン部５０ａとスイッチ機構部５０ｂとを含む。なお、言うまでもないが、第１スイッチ４０および第２スイッチ５０は、押しボタンスイッチに限定されない。例えば、第１スイッチ４０および第２スイッチ５０は、タクタイルスイッチ、ロッカースイッチまたはトグルスイッチであってもよい。
【００３６】
第１スイッチ４０および第２スイッチ５０は、ハンドル３０を把持した手の指が届く範囲内に配置されている。図示している例では、器具本体２０の長手方向において、第１スイッチ４０および第２スイッチ５０は、ハンドル３０の前方に位置している。また、第１スイッチ４０および第２スイッチ５０は、器具本体２０の上部（より具体的にはボックス部２０ａ）に配置されており、そのスイッチ機構部４０ｂおよび５０ｂはボックス部２０ａに収容されている。
【００３７】
信号表示灯６０は、信号器への信号の送信に応じて点灯する。典型的には、信号表示灯６０は、信号の送信に同期して点灯する。図示している例では、信号器への信号の送信に応じてブザー２８も動作する。つまり、ブザー２８は、信号の送信に応じて（典型的には同期して）ブザー音を発する。
【００３８】
信号表示灯６０は、第１スイッチ４０および第２スイッチ５０の周辺に配置されている。図示している例では、器具本体２０の長手方向において、信号表示灯６０は、ハンドル３０の前方に位置している。また、信号表示灯６０は、器具本体２０の上部（より具体的にはボックス部２０ａ）に配置されている。上方から見たとき、信号表示灯６０、第１スイッチ４０および第２スイッチ５０は、仮想的な三角形の頂点に位置するように配置されている。図示している例では、器具本体２０の長手方向において、第２スイッチ５０が第１スイッチ４０および信号表示灯６０よりも前方に位置している。
【００３９】
図６から図９を参照しながら、光源部１０の具体的な構成を説明する。図６、図７、図８および図９は、それぞれ光源部１０を模式的に示す斜視図、正面図、側面図および上面図である。
【００４０】
光源部１０は、図６から図９に示すように、複数のＬＥＤ素子１１、第１レンズ部１２、第２レンズ部１３およびヒートシンク部１４を有する。
【００４１】
複数のＬＥＤ素子１１は、図７に示すように、正面方向から見たときに相対的に外側に位置する複数の（ここでは６つの）第１ＬＥＤ素子１１ａと、相対的に内側に位置する複数の（ここでは６つの）第２ＬＥＤ素子１１ｂとを含む。なお、第１ＬＥＤ素子１１ａおよび第２ＬＥＤ素子１１ｂの個数や配置は、図示している例に限定されるものではない。
【００４２】
第１レンズ部１２は、複数の第１ＬＥＤ素子１１ａに対応する位置に配置された複数のレンズ（第１レンズ）１２ａを含む。第２レンズ部１３は、複数の第２ＬＥＤ素子１１ｂに対応する位置に配置された複数のレンズ（第２レンズ）１３ａを含む。第１レンズ部１２および第２レンズ部１３は、それぞれ樹脂材料またはガラス材料から形成されている。
【００４３】
ヒートシンク部１４は、ベース部１４ａと、複数のフィン１４ｂとを有する。ベース部１４ａは、第１レンズ部１２および第２レンズ部１３に接続されている。複数の（ここでは１０枚の）フィン１４ｂは、ベース部１４ａから後方に延びている。ヒートシンク部１４は、金属材料（例えばアルミニウム合金）から形成されている。なお、フィン１４ｂの個数や配置、形状等は、図示している例に限定されるものではない。
【００４４】
各ＬＥＤ素子１１が発する光は、対応するレンズ（第１レンズ１２ａまたは第２レンズ１３ａ）によって所望の指向性を与えられる。例示している光源部１０では、第１レンズ１２ａの焦点距離と、第２レンズ１３ａの焦点距離とが異なっている。第２スイッチ５０を操作すると、第１ＬＥＤ素子１１ａのみが点灯している状態と、第２ＬＥＤ素子１１ｂのみが点灯している状態とを切り換えることができるので、光源部１０の配光を切り換えることができる。第１レンズ１２ａおよび第２レンズ１３ａの焦点距離は、第１ＬＥＤ素子１１ａのみが点灯している状態が集光照射状態で第２ＬＥＤ素子１１ｂのみが点灯している状態が拡散反射状態であるように設定されていてもよいし、その逆でもよい。
【００４５】
第１ＬＥＤ素子１１ａと第２ＬＥＤ素子１１ｂとは、互いに発光色が同じであってもよいし、異なっていてもよい。第１ＬＥＤ素子１１ａの発光色と第２ＬＥＤ素子１１ｂの発光色とが異なっていると、配光の切り替えの際に光源部１０の発光色も切り替えることができる。第１ＬＥＤ素子１１ａの発光色と第２ＬＥＤ素子１１ｂの発光色とが異なる構成としては、例えば、第１ＬＥＤ素子１１ａおよび第２ＬＥＤ素子１１ｂの一方の発光色が白で、他方の発光色が黄である構成を採用することができる。煙が充満している空間内では、発光色によって視認性が異なる（例えば白色光よりも黄色の光の方が視認性が高い）ので、光源部１０の発光色を切り換えることにより、作業性のいっそうの向上を図ることができる。
【００４６】
図１０を参照しながら、信号器の一例を説明する。図１０は、信号器２００を模式的に示す側面図である。
【００４７】
図１０に示す信号器２００は、接続ケーブル１を介して投光器１００に接続されている。また、信号器２００は、別の接続ケーブル２を介して商用電源または発電機に接続されている。従って、投光器１００は、信号器２００を介して外部電源（商用電源または発電機）から電力を供給されるといえる。外部電源から電力の供給を行うことにより、投光器１００を長時間（消防活動に必要な所望の時間）使用することができる。
【００４８】
信号器２００は、信号器本体２０１、ハンドル２０２、第３スイッチ（信号スイッチ）２０３、信号表示灯２０４、ブザー２０５および電源ユニット２０６を備える。
【００４９】
信号器本体２０１は、その内部にブザー２０５および電源ユニット２０６を収容する。信号器本体２０１の上部に、ハンドル２０２が設けられている。
【００５０】
第３スイッチ２０３は、投光器１００に接続ケーブル１を介して信号を送信する操作を受け付ける。図示している例では、第３スイッチ２０３は、信号器本体２０１の上部に配置されている。
【００５１】
信号表示灯２０４は、投光器１００への信号の送信に応じて点灯する。典型的には、信号表示灯２０４は、信号の送信に同期して点灯する。図示している例では、投光器１００への信号の送信に応じてブザー２０５も動作する。つまり、ブザー２０５は、信号の送信に応じて（典型的には同期して）ブザー音を発する。
【００５２】
電源ユニット２０６は、商用電源や発電機から供給される電流・電圧に対し、必要に応じて整流や昇圧、降圧等を行う。
【００５３】
上述したように、本実施形態における投光器１００では、第１スイッチ（信号スイッチ）４０および第２スイッチ（配光切換スイッチ）５０が、ハンドル３０を把持した手（以下では「持ち手」と呼ぶ）の指が届く範囲内に配置されている。そのため、信号の送信および配光の切り替えのそれぞれを、持ち手での片手操作により行うことができる。そのため、ハンドル３０を把持していない方の手を空けたり、投光器１００を地面に置いたりする必要がない。このように、本実施形態によれば、投光器１００の操作性を向上させることができる。
【００５４】
ここで、「持ち手の指の届く範囲」は、成人の平均的な手の大きさ（指の長さ）に基づいて設定され得る。本実施形態で例示した構成では、第１スイッチ４０および第２スイッチ５０は、ハンドル３０の前方に位置している。この場合、「持ち手の指の届く範囲」とは、例えば、ハンドル３０の前端３０ｆｅ（図３参照）から５０ｍｍ以内の範囲である（図示している例ではハンドル部材３１の前端から８０ｍｍ以内の範囲である）。
【００５５】
なお、ここではハンドル３０がハンドル部材３１と容器本体２０から延びる凸部２０ｂとから構成される例を示したが、ハンドル３０の構成はこれに限定されない。ハンドル３０は、３つ以上の部材から構成されてもよいし、単一の部材であってもよい。
【００５６】
ハンドル３０を把持する際の手の姿勢を考慮すると、第１スイッチ４０および第２スイッチ５０の操作は、親指で行うことが好ましい。本実施形態のように、器具本体２０の長手方向において、第１スイッチ４０および第２スイッチ５０がハンドル３０の前方に位置していると、親指での操作が容易である。
【００５７】
親指での操作の容易さの観点からは、第１スイッチ４０および第２スイッチ５０は、ハンドル３０の軸線３０ａ（図４参照）から大きく離れていないことが好ましく、言い換えると、実質的にハンドル３０の軸線３０ａ上に位置していることが好ましい。
【００５８】
また、本実施形態では、信号表示灯６０が、第１スイッチ４０および第２スイッチ５０の周辺に配置されている。このことにより、信号表示灯６０の視認が容易となる。これに対し、特許文献１の投光器では、表示灯が投光器本体の側面に配置されているので、表示灯をユーザが視認できない（つまり表示灯がユーザの死角に入ってしまう）おそれがある。
【００５９】
視認の容易さの観点からは、器具本体２０の長手方向において、信号表示灯６０は、ハンドル３０の前方に位置していることが好ましい。信号表示灯６０がハンドル３０の前方に位置していると、ハンドル３０を把持している手によって信号表示灯６０が隠れることがない。
【００６０】
なお、第１スイッチ４０、第２スイッチ５０および信号表示灯６０の配置は、図示した例に限定されるものではない。例えば、第１スイッチ４０と第２スイッチ５０の位置が入れ替わってもよいし、信号表示灯６０と第１スイッチ４０または第２スイッチ５０の位置が入れ替わってもよい。視認の容易さの観点からは、器具本体２０の長手方向において、信号表示灯６０が第１スイッチ４０および第２スイッチ５０よりも前方に位置する配置（図示している第２スイッチ５０の位置に信号表示灯６０が配置された構成）が好ましいといえる。
【００６１】
言うまでもないが、消防活動は放水作業を伴うため、投光器１００は頻繁に被水する。そのため、投光器１００は、高い防水性を有することが好ましい。第１スイッチ４０および第２スイッチ５０と、光源部１０に供給される電流を制御する制御基板とは、離れた位置に配置され得るので、投光器１００は、少なくとも２つの防水区画を有することが好ましい。
【００６２】
図１１に、投光器１００が有する防水区画の例を示す。図１１に示す例では、投光器１００は、３つの防水区画ＷＣ１、ＷＣ２およびＷＣ３を有する。
【００６３】
防水区画ＷＣ１、ＷＣ２およびＷＣ３のうちの第１防水区画ＷＣ１は、器具本体２０のボックス部２０ａに対応する領域であり、第１スイッチ４０、第２スイッチ５０および信号表示灯６０が配置されている。第２防水区画ＷＣ２は、器具本体２０の後部に対応する領域であり、ブザー２８および不図示の制御基板が配置されている。第３防水区画ＷＣ３は、器具本体２０の前部に対応する領域であり、光源部１０が配置されている。なお、防水区画を実現するための具体的な手法については、公知の手法を用いることができるので、ここではその説明を省略する。
【００６４】
図１１に示した例のように、１つの防水区画（ここでは第１防水区画ＷＣ１）に第１スイッチ４０および第２スイッチ５０の両方を配置することにより、投光器１００全体での防水区画の数を比較的少なくすることができる。
【００６５】
上述したように、本発明の実施形態による消防用投光器１００は、信号器２００に接続ケーブル１を介して接続される消防用投光器１００であって、光源部１０と、光源部１０を収容する器具本体２０と、器具本体２０の上部に配置されユーザの手によって把持されるハンドル３０と、信号器２００に接続ケーブル１を介して信号を送信する操作を受け付ける第１スイッチ４０と、光源部１０の配光を切り換える操作を受け付ける第２スイッチ５０と、を備え、第１スイッチ４０および第２スイッチ５０は、ハンドル３０を把持した手の指が届く範囲内に配置されている。
【００６６】
本発明の実施形態による消防用投光器１００では、第１スイッチ４０および第２スイッチ５０が、ハンドル３０を把持した手の指が届く範囲内に配置されている。そのため、信号の送信および配光の切り替えのそれぞれを、ハンドル３０を把持した方の手での片手操作により行うことができる。それ故、ハンドル３０を把持していない方の手を空けたり、消防用投光器１００を地面に置いたりする必要がない。このように、本発明の実施形態によれば、消防用投光器１００の操作性を向上させることができる。
【００６７】
ある実施形態では、器具本体２０の長手方向において、第１スイッチ４０および第２スイッチ５０は、ハンドル３０の前方に位置している。
【００６８】
ハンドル３０を把持する際の手の姿勢を考慮すると、第１スイッチ４０および第２スイッチ５０の操作は、親指で行うことが好ましい。器具本体２０の長手方向において、第１スイッチ４０および第２スイッチ５０がハンドル３０の前方に位置していると、親指での操作を容易に行うことができる。
【００６９】
ある実施形態では、第１スイッチ４０および第２スイッチ５０は、実質的にハンドル３０の軸線３０ａ上に位置している。
【００７０】
親指での操作の容易さの観点からは、第１スイッチ４０および第２スイッチ５０は、ハンドル３０の軸線３０ａから大きく離れていないことが好ましく、言い換えると、実質的にハンドル３０の軸線３０ａ上に位置していることが好ましい。
【００７１】
ある実施形態では、消防用投光器１００は、信号器２００への信号の送信に応じて点灯する信号表示灯６０をさらに備え、信号表示灯６０は、第１スイッチ４０および第２スイッチ５０の周辺に配置されている。
【００７２】
消防用投光器１００が、信号器２００への信号の送信に応じて点灯する信号表示灯６０をさらに備えている場合、信号表示灯６０が、第１スイッチ４０および第２スイッチ５０の周辺に配置されていると、信号表示灯６０の視認が容易となる。
【００７３】
ある実施形態では、器具本体２０の長手方向において、信号表示灯６０は、ハンドル３０の前方に位置している。
【００７４】
視認の容易さの観点からは、器具本体２０の長手方向において、信号表示灯６０は、ハンドル３０の前方に位置していることが好ましい。信号表示灯６０がハンドル３０の前方に位置していると、ハンドル３０を把持している手によって信号表示灯６０が隠れることがない。
【００７５】
ある実施形態では、器具本体２０の長手方向において、信号表示灯６０が第１スイッチ４０および第２スイッチ５０よりも前方に位置する。
【００７６】
視認の容易さの観点からは、器具本体２０の長手方向において、信号表示灯６０が第１スイッチ４０および第２スイッチ５０よりも前方に位置することが好ましい。
【００７７】
ある実施形態では、消防用投光器１００は、少なくとも２つの防水区画を有する。
【００７８】
第１スイッチ４０および第２スイッチ５０と、光源部１０に供給される電流を制御する制御基板とは、離れた位置に配置され得るので、消防用投光器１００は、少なくとも２つの防水区画を有することが好ましい。
【００７９】
ある実施形態では、少なくとも２つの防水区画のうちの１つの防水区画ＷＣ１に、第１スイッチ４０および第２スイッチ５０の両方が配置されている。
【００８０】
１つの防水区画ＷＣ１に、第１スイッチ４０および第２スイッチ５０の両方が配置されていると、消防用投光器１００全体での防水区画の数を比較的少なくすることができる。
【００８１】
ある実施形態では、消防用投光器１００は、外部電源から電力を供給される。
【００８２】
本発明の実施形態は、外部電源から電力を供給される消防用投光器１００に好適に用いられる。外部電源から電力の供給を行うことにより、消防用投光器１００を長時間（消防活動に必要な所望の時間）使用することができる。
【産業上の利用可能性】
【００８３】
本発明の実施形態によると、消防用投光器の操作性を向上させることができる。
【符号の説明】
【００８４】
１：接続ケーブル、２：接続ケーブル、１０：光源部、１１：ＬＥＤ素子（光源）、１１ａ：第１ＬＥＤ素子、１１ｂ：第２ＬＥＤ素子、１２：第１レンズ部、１２ａ：第１レンズ、１３：第２レンズ部、１３ａ：第２レンズ、１４：ヒートシンク部、１４ａ：ベース部、１４ｂ：フィン、２０：器具本体（筐体）、２０ａ：ボックス部、２０ｂ：凸部、２１：放熱孔、２５：保護部材（レンズガード）、２６：三脚取付ボス、２７：支持部材、２８：ブザー、２９：ブラケット、３０：ハンドル、３０ａ：ハンドルの軸線、３０ｆｅ：ハンドルの前端、３１：ハンドル部材、４０：第１スイッチ（信号スイッチ）、５０：第２スイッチ（配光切換スイッチ）、６０：信号表示灯、１００：投光器、２００：信号器、２０１：信号器本体、２０２：ハンドル、２０３：第３スイッチ（信号スイッチ）、２０４：信号表示灯、２０５：ブザー、２０６：電源ユニット、ＷＣ１：第１防水区画、ＷＣ２：第２防水区画、ＷＣ３：第３防水区画
【図１】
2019207844.tif 000003
【図２】
2019207844.tif 000004
【図３】
2019207844.tif 000005
【図４】
2019207844.tif 000006
【図５】
2019207844.tif 000007
【図６】
2019207844.tif 000008
【図７】
2019207844.tif 000009
【図８】
2019207844.tif 000010
【図９】
2019207844.tif 000011
【図１０】
2019207844.tif 000012
【図１１】
2019207844.tif 000013